(57)【要約】      （修正有）【課題】ドレインチューブが設けられ、かつ、非円形状に形成されたバーホールを保護することが容易化されたバーホールプレートを提供する。【解決手段】頭蓋骨を保護するバーホールプレート３０は、二つの突出部３２ａ、３２ｂとその間を繋ぐ中間部３６を備えた略Ｕ字形状に形成されている。中間部３６の外周付近には、バーホールの周囲の頭蓋骨にねじ止めされるねじ孔４０ａ、４０ｂ、４０ｃ、４０ｄが、補助円５４上に設けられている。二つの突出部３２ａ、３２ｂの突出端付近には、頭蓋骨にねじ止めされるねじ孔が、補助円５４よりも外側に設けられている。略Ｕ字形状の内側の切欠部３７には、バーホールを貫通するドレインチューブが通される。【選択図】図３
0003217266.tif 000002
【実用新案登録請求の範囲】
【請求項１】
頭蓋骨に設けられたバーホールを保護するバーホールプレートであって、
二つの突出部とその間を繋ぐ中間部を備えた略Ｕ字形状に形成され、
前記中間部の外周付近には、前記バーホールの周囲の前記頭蓋骨にねじ止めされるねじ孔が、略円弧上に設けられ、
二つの前記突出部の突出端付近には、前記バーホールの周囲の前記頭蓋骨にねじ止めされるねじ孔が、前記円弧が乗る円よりも外側に設けられ、
前記略Ｕ字形状の内側の切欠部には、前記バーホールを貫通するドレインチューブが通される、ことを特徴とするバーホールプレート。
【請求項２】
頭蓋骨に設けられたバーホールを保護するバーホールプレートであって、
当該バーホールプレートの外周形状は、
略円弧の形状に形成された円弧部と、
前記円弧部の両端側において前記円弧が乗る円よりも外側に突出する形状に形成された突出部と、
両前記突出部の間の前記円弧部とは反対側において前記円弧が乗る円よりも内側に凹んだ形状に形成され、前記バーホールを貫通するドレインチューブが通される切欠部と、
からなり、
前記円弧部の外周付近には、前記バーホールの周囲の前記頭蓋骨にねじ止めされるねじ孔が設けられ、
両前記突出部の外周付近には、前記バーホールの周囲の前記頭蓋骨にねじ止めされるねじ孔が設けられていることを特徴とするバーホールプレート。
【考案の詳細な説明】
【技術分野】
【０００１】
本考案は、頭蓋骨に設けられたバーホールを保護するバーホールプレートに関する。
【背景技術】
【０００２】
頭部の手術では、頭蓋骨に医療用ドリルなどを用いて複数の孔（「バーホール」と言う。）をあけ、さらにバーホール間の頭蓋骨を切断して、開頭を行う場合がある。手術を終えるにあたって、バーホールは、バーホールプレートなどと呼ばれるカバーで覆われて保護される。
【０００３】
下記特許文献１には、中央部にドレインチューブ用の孔を設けたバーホールプレートが開示されている。ドレインチューブは、手術後における排液除去や監視などを目的として設置されるものである。このバーホールプレートは、略円形の形状に形成されており、外周付近に設けられた複数のねじ孔も同一の円上に配置されている。
【０００４】
下記特許文献２には、ドレインチューブを通す切欠部を備えた人工骨補填材が開示されている。
【０００５】
例えば、下記非特許文献１、下記非特許文献２に記載されているように、ドレインチューブを通す切欠部を備えたバーホールプレートは、現在、複数の企業から販売されている。バーホールは円形であることから、これらのバーホールプレートは、円形状に形成されており、バーホールプレートを頭蓋骨に固定するための複数のねじ孔も同一円状に配置されている。
【先行技術文献】
【特許文献】
【０００６】
【特許文献１】特表２００２−５１０９９２号公報
【特許文献２】実開平５−２１９１４号公報
【非特許文献】
【０００７】
【非特許文献１】株式会社ベアーメディック、「チタンプレートシステム（BEAR PLATE SYSTEM）」のカタログ  製品番号：NS-50012B-DC、［online］、掲載日非掲載、［平成30年4月27日検索］、インターネット  URL:：  http://www.bearmedic.co.jp/library/55066c20daa60f3c4a000e39/552c62ed8fa251906a000053.pdf
【考案の概要】
【考案が解決しようとする課題】
【０００８】
保護すべきバーホールが、なんらかの理由で円形ではなく扁平形状に形成されている場合、円形に形成されたバーホールプレートの使用が困難になることがある。
【０００９】
本考案の目的は、ドレインチューブが設けられ、かつ、非円形状に形成されたバーホールを保護することが容易化されたバーホールプレートを実現することにある。
【課題を解決するための手段】
【００１０】
請求項１の考案にかかるバーホールプレートは、頭蓋骨に設けられたバーホールを保護するバーホールプレートであって、二つの突出部とその間を繋ぐ中間部を備えた略Ｕ字形状に形成され、前記中間部の外周付近には、前記バーホールの周囲の前記頭蓋骨にねじ止めされるねじ孔が、略円弧上に設けられ、二つの前記突出部の突出端付近には、前記バーホールの周囲の前記頭蓋骨にねじ止めされるねじ孔が、前記円弧が乗る円よりも外側に設けられ、前記略Ｕ字形状の内側の切欠部には、前記バーホールを貫通するドレインチューブが通される、ことを特徴とする。
【００１１】
突出部に設けられたねじ孔が乗る円の半径は、バーホールの大きさや形状に応じて様々に設定可能である。例えば、中間部に設けられたねじ孔が乗る円（中心位置をＣ１、半径をｒ１とする）と、突出部に設けられたねじ孔が乗る円（中心位置は前の円の中心位置Ｃ１と同じとし、半径をＲ１とする）を考えたとき、ｒ１に対するＲ１の比（すなわちＲ１／ｒ１の値）が１．０２倍以上、１．０３倍以上、１．０４倍以上、１．０５倍以上、１．０７倍以上、１．１倍以上、１．１５倍以上、１．２倍以上、１．３倍以上、さらには１．５倍以上などとすることができる。また、この比率の上限を定めてもよい。
【００１２】
また、別の観点からは、上記Ｒ１を、上記ｒ１に比べて、典型的な骨切り線の半幅と同じ、または、それ以上だけ長くすることが考えられる。具体的には、典型的な骨切り線の幅が１ｍｍ〜３ｍｍ程度であるとして、Ｒ１の長さを、ｒ１に比べて、０．５ｍｍ以上、１ｍｍ以上、２ｍｍ以上、２．５ｍｍ以上、３ｍｍ以上、あるいは４ｍｍ以上長くするなどの態様が挙げられる。また、この長さの上限を定めてもよい。
【００１３】
請求項２の考案にかかるバーホールプレートは、頭蓋骨に設けられたバーホールを保護するバーホールプレートであって、当該バーホールプレートの外周形状は、略円弧の形状に形成された円弧部と、前記円弧部の両端側において前記円弧が乗る円よりも外側に突出する形状に形成された突出部と、両前記突出部の間の前記円弧部とは反対側において前記円弧が乗る円よりも内側に凹んだ形状に形成され、前記バーホールを貫通するドレインチューブが通される切欠部と、からなり、前記円弧部の外周付近には、前記バーホールの周囲の前記頭蓋骨にねじ止めされるねじ孔が設けられ、両前記突出部の外周付近には、前記バーホールの周囲の前記頭蓋骨にねじ止めされるねじ孔が設けられていることを特徴とする。
【００１４】
突出部の突出度合いは、バーホールの大きさや形状に応じて様々に設定可能である。例えば、円弧部が乗る円（中心位置をＣ２、半径をｒ２とする）と、突出部の突出端が乗る円（中心位置は前の円の中心位置Ｃ２と同じとし、半径をＲ２とする）を考えたとき、ｒ２に対するＲ２の比が１．０２倍以上、１．０３倍以上、１．０４倍以上、１．０５倍以上、１．０７倍以上、１．１倍以上、１．１５倍以上、１．２倍以上、１．３倍以上、さらには１．５倍以上などとすることができる。また、この比率の上限を定めてもよい。
【００１５】
また、別の観点からは、上記Ｒ２を、上記ｒ２に比べて、典型的な骨切り線の半幅と同等かそれ以上、すなわち、０．５ｍｍ以上、１ｍｍ以上、２ｍｍ以上、２．５ｍｍ以上、３ｍｍ以上、あるいは４ｍｍ以上長くする態様が考えられる。この長さの上限を定めてもよい。
【考案の効果】
【００１６】
請求項１の考案によれば、長円などの細長い形状をもつバーホールの周囲において、固定することが容易化される。
【００１７】
請求項２の考案によれば、長円などの細長い形状をもつバーホールを覆って保護することが容易化される。
【図面の簡単な説明】
【００１８】
【図１】頭蓋骨における前頭側頭開頭の位置を示す図である。
【図２】前頭側頭開頭付近におけるバーホール、骨切り線、骨片を示す図である。
【図３】実施形態１にかかるバーホールプレートの平面図である。
【図４】実施形態１にかかるバーホールプレートを用いてバーホールを骨固定する態様を示す図である。
【図５】実施形態２にかかるバーホールプレートの平面図である。
【図６】参考形態にかかるバーホールプレートの平面図である。
【図７】参考形態にかかるバーホールプレートを用いてバーホールを骨固定する態様を示す図である。
【考案を実施するための形態】
【００１９】
以下に、図面を参照しながら、実施形態について説明する。説明においては、理解を容易にするため、具体的な態様について示すが、これらは実施形態を例示するものであり、他にも様々な実施形態をとることが可能である。
【００２０】
［実施形態１］
図１は、ヒトの頭蓋骨１０を含む頭部の骨格を示した側面図である。図１には、脳神経外科領域で最も頻繁に行われるアプローチであるpterional approachの前頭側頭開頭の位置を例示している。図示した例では、頭蓋骨１０を貫通する円形の３個のバーホール１２、１４、１６が、例えば医療用ドリルによって開けられる。バーホール１２、１４を結ぶ骨切り線１８、バーホール１４、１６を結ぶ骨切り線２０、バーホール１６、１２を結ぶ骨切り線２２は、医療用のこぎりなどを用いて頭蓋骨１０を切断する線である。このようにして、バーホール１４、１６、１８と骨切り線１８、２０、２２に囲まれた開頭部２４が形成される。骨切り線１８、２０、２２は、一般的には、開頭部２４が広くなるように、バーホール１２、１４、１６の中心よりも外側に設けられている。バーホール１２、１４、１６の直径は例えば１８ｍｍ程度、骨切り線１８の幅は例えば１ｍｍ〜３ｍｍ程度である。
【００２１】
図２は、図１に示した開頭部２４付近を示す図である。ここでは、手術の後半において、切断された頭蓋骨１０の骨片２６を、開頭部２４に戻した状態を示している。この過程では、一般に、整容面を考慮して、顔付近の骨切り線２０、２２が目立たないように、骨片２６は前方（顔側）に寄せて固定される。このため、後方側の骨切り線１８付近では、骨切り線２０、２２を埋めた分だけ、隙間が大きくなっている。また、この付近のバーホール１２、１４も、当初の円形状から引き伸ばされた長円形状になっている。長円形状のバーホール１４の場合、短軸が約１８ｍｍ、長軸が約１９〜２１ｍｍであり、長軸は短軸に比べて、約１．０５倍〜１．１５倍程度だけ長くなっている。
【００２２】
図３は、第１の実施形態にかかるバーホールプレート３０の平面図である。バーホールプレート３０は、バーホール１４の保護に用いられる部材であり、略Ｕ字形状（おおまかにみてＵ字とみなせる形状をいい、Ｃ字やＶ字に近い形状も含むものとする。）に形成されている。具体的には、図の上側に延びる二つの突出した突出部３２ａ、３２ｂと、これらを繋ぐ中間部３６からなる。突出部３２ａ、３２ｂに挟まれた間は、内側に凹んだ切欠部３７になっている。なお、切欠部３７は、形状的な特徴に基づく名称であり、製造工程で部材を切り欠いて作るものを含む他、それ以外の製法（例えば型成形）によって作るものを含むものとする。
【００２３】
図３には、説明の便宜のため、補助線として、中心５０と、それを中心とした三つの補助円５２、５４、５６を描いている。図３の例では、切欠部３７の最凹部は、ちょうど中心５０に達する大きさで凹んでいる。中間部３６の大まかな外周形状は、補助円５２に乗った円弧部となっている（線が重複しないように便宜的に補助円５２は若干外側に描いている）。そして、円弧部の外側には、４つの半円形の突起３８ａ、３８ｂ、３８ｃ、３８ｄが、ほぼ等間隔で設けられている。突起３８ａ、３８ｂ、３８ｃ、３８ｄの最外側は、補助円５６に乗るように作られている。このため、突起３８ａ、３８ｂ、３８ｃ、３８ｄも、補助円５６に乗った円弧部を形成していると言える。また、突起３８ａ、３８ｂ、３８ｃ、３８ｄの内側には、それぞれ、貫通孔であるねじ孔４０ａ、４０ｂ、４０ｃ、４０ｄが設けられている。これらのねじ孔４０ａ、４０ｂ、４０ｃ、４０ｄは、頭蓋骨１０に固定するためのねじが通される孔であり、ねじの大きさと形状にあわせて、周囲に若干のテーパを有するように形成されている。ねじ孔４０ａ、４０ｂ、４０ｃ、４０ｄは、補助円５４に乗る円弧の上にその中心が乗るように配置されている。
【００２４】
ねじ孔４０ａ、４０ｂ、４０ｃ、４０ｄの内側には、物質移動性、デザイン性、加工容易性などを考慮して、それぞれ略三角形状の貫通孔４２ａ、４２ｂ、４２ｃ、４２ｄが設けられている。また、ねじ孔４０ａ、４０ｂ、４０ｃ、４０ｄの間には、順に、内側への切り込み４４ａ、４４ｂ、４４ｃが設けられている。これらの切り込み４４ａ、４４ｂ、４４ｃを利用して中間部３６を若干折り曲げることで、患者の頭蓋骨１０に合わせた立体形状に調整することが可能となっている。
【００２５】
突出部３２ａ、３２ｂの先端側（突出端）は、補助円５２、５４だけでなく、補助円５６よりも外側にまで突出した形状となっている。そして、突出部３２ａ、３２ｂの突出端付近には、それぞれねじ孔４６ａ、４６ｂが設けられている。ねじ孔４６ａ、４６ｂの中心は、中間部３６のねじ孔４０ａ、４０ｂ、４０ｃ、４０ｄの中心が乗る補助円５４よりも外側に位置しており、補助円５６の上に乗る程度の位置に配置されている。
【００２６】
バーホールプレート３０は、例えば、チタン、チタン合金などの金属板を打ち抜いた上で、所定の曲率を持たせるように加工して形成することができる。また、例えば、生体適合性の良好な樹脂を型成形して形成することも可能である。
【００２７】
続いて、図４を参照して、バーホールプレート３０の使用態様について説明する。図４は、図２に対応する図であり、骨片２６を、３つのプレートを用いて固定する状態を示している。固定に用いられるプレートは、図３に示したバーホールプレート３０と、他の種類のバーホールプレート６０、及び、メッシュ状のプレート７０である。
【００２８】
バーホールプレート３０は、バーホール１４を覆うように配置される。具体的には、骨片２６の側に中間部３６が位置し、周囲の頭蓋骨１０の側に突出部３２ａ，３２ｂが位置するように取り付けられる。このとき、骨片２６に対しては、ねじ孔４０ｂ、４０ｃ、４０ｄにねじを挿入してねじ止めすることで、バーホールプレート３０は骨片２６に対して固定される。そして、バーホール１４から飛び出している図示省略したドレインチューブを切欠部３７内にセットした上で、図４に示す位置に骨片２６を設置する。そして、ねじ孔４６ａ、４６ｂにねじを挿入してねじ止めすることで、バーホールプレート３０は周囲の頭蓋骨１０に固定される。ただし、図示した例では、中間部３６のひとつのねじ孔４０ａは、骨片２６の外周に位置しており、一部が骨切り線１８に掛かっている。このような状態では、ねじ孔４０ａにねじを挿入しない場合もある。
【００２９】
バーホールプレート３０が保護するバーホール１４は、上述したように、医療用ドリルで開孔したときよりも大きな面積をもつ長円形状の孔である。このため、バーホールプレート３０に代えて、円形のプレートを使用する場合には、長円形状の長軸を基準とした大きいサイズのプレートを用意する必要がある。これに対し、バーホールプレート３０は、突出部３２ａ、３２ｂが延びる方向に長く形成されている。この方向を、バーホール１４の長軸方向に揃えることで、比較的小さいサイズでありながら、バーホール１４を保護することが可能となっている。
【００３０】
バーホール１２に対しては、ドレインチューブを通す孔が設けられていない略円形のバーホールプレート６０を用いている。また、プレート７０は、メッシュに形成された部材であり、バーホール１６だけでなく、骨切り線２２の一部も覆っている。このように、使用する部位や目的に応じて適切なプレートを選択することが可能である。
【００３１】
［実施形態２］
図５を参照して、第２の実施形態にかかるバーホールプレート８０について説明する。図５はバーホールプレート８０の平面図である。図中には、補助的に、図３と同一の中心５０と、これを中心とする補助円５２、５４、５６を示している。
【００３２】
バーホールプレート８０は、バーホールプレート３０と同様に、略Ｕ字形状に形成されている。具体的には、図の上側に延びる二つの突出した突出部８２ａ、８２ｂと、これらを繋ぐ中間部８６からなる。突出部８２ａ、８２ｂの間には、内側に凹んだ切欠部８４が形成されている。切欠部８４の最凹部は、中心５０にまで至っている。中間部８６の大まかな外周形状は、補助円５２に乗った円弧部となっている。そして、円弧部の外側には、３つの半円形の突起８８ａ、８８ｂ、８８ｃが、約６０度間隔で設けられている。突起８８ａ、８８ｂ、８８ｃの最外側は、補助円５６に乗るように作られている。このため、突起８８ａ、８８ｂ、８８ｃの外径は補助円５６に乗った円弧部を形成していると言える。また、突起８８ａ、８８ｂ、８８ｃの内側には、それぞれ、貫通孔であるねじ孔９０ａ、９０ｂ、９０ｃが設けられている。ねじ孔９０ａ、９０ｂ、９０ｃは、補助円５４に乗る円弧の上にその中心が乗るように配置されている。
【００３３】
ねじ孔９０ａ、９０ｂ、９０ｃの内側には、略三角形状の貫通孔９２ａ、９２ｂ、９２ｃが設けられている。また、中間部８６の外周面には、ねじ孔９０ａ、９０ｂ、９０ｃを挟むようにして、内側への切り込み９４ａ、９４ｂ、９４ｃ、９４ｄが設けられている。
【００３４】
突出部８２ａ、８２ｂの先端側（突出端）は、補助円５２、５４、５６のいずれよりも外側まで突出した形状となっている。そして、突出部８２ａ、８２ｂの突出端付近には、それぞれねじ孔９６ａ、９６ｂが設けられている。
【００３５】
バーホールプレート８０は、中間部８６の外周に補助円５４に乗る３つのねじ孔９０ａ、９０ｂ、９０ｃを備えている。これに対し、図３に示したバーホールプレート３０は、中間部３６の外周に補助円５４に乗る４つのねじ孔４０ａ、４０ｂ、４０ｃ、４０ｄを備えていた。このねじ孔の数および位置の違いのために、バーホールプレート８０とバーホールプレート３０とは、長さ及び幅が異なる。しかし、バーホールプレート８０の３つのねじ孔９０ａ、９０ｂ、９０ｃも、バーホールプレート３０の４つのねじ孔４０ａ、４０ｂ、４０ｃ、４０ｄも同一の補助円５４の上に乗っている。また、バーホールプレート８０の突出部８２ａ、８２ｂのねじ孔９６ａ、９６ｂも、バーホールプレート３０の突出部３２ａ、３２ｂのねじ孔４６ａ、４６ｂも中心５０からの距離が同じ円上に乗っている。これからわかるように、バーホールプレート８０は、バーホールプレート３０と同じ大きさのバーホールに対応することが可能である。バーホールプレート８０とバーホールプレート３０は、骨片２６への取り付けやすさを考慮して、選択すればよい。
【００３６】
［参考形態］
続いて、図６と図７を参照して、参考形態について説明する。図６は、参考形態にかかるバーホールプレート１１０の平面図である。また、図には、補助的に、中心１２０とこれを中心とする３つの補助円１２２、１２４、１２６を示している。
【００３７】
バーホールプレート１１０は、本体部１１２と、外形が補助円１２２に乗る円弧の形状をした本体部１１２と、その周囲に設けられた円形の４つの突起１１３ａ、１１３ｂ、１１３ｃ、１１３ｄとを備えている。本体部１１２は、その外形は補助円１２２に乗った円弧形状となっている。円弧形状は、中心１２０に対して約２８０度の広がりで形成されている。そして、円弧形状の端は、ドレインチューブを通す切欠部１１８となっている。切欠部１１８は、外側（開口端側）が広く、奥にいくに従って狭くなるが、ある程度のより奥側は一定の幅に形成され、さらに最凹部付近は中心１２０を囲むような円形状に形成されている。本体部１１２の周囲に設けられた突起１１３ａ、１１３ｂ、１１３ｃ、１１３ｄは、約７２度おきに等間隔で設けられており、その最外側は補助円１２６に乗るように形成されている。この突起１１３ａ、１１３ｂ、１１３ｃ、１１３ｄの内側には、それぞれ、ねじ孔１１４ａ、１１４ｂ、１１４ｃ、１１４ｄが設けられている。これらのねじ孔１１４ａ、１１４ｂ、１１４ｃ、１１４ｄは、その中心が補助円１２４に乗るように配置されている。また、本体部１１２には、突起１１３ａ、１１３ｂ、１１３ｃ、１１３ｄに挟まれる位置に、内側への切り込み１１６ａ、１１６ｂ、１１６ｃが形成されている。このように、バーホールプレート１１０は、本体部１１２の外形は円形状であり、ねじ孔１１４ａ、１１４ｂ、１１４ｃ、１１４ｄも同一円上に配置されている特徴を備えている。
【００３８】
図７は、図４に対応する図であり、同一の構成には同一の符号を付して説明を省略する。図７では、図４のバーホールプレート３０に代えて、バーホールプレート１１０を用いてバーホール１４の保護を行っている。バーホールプレート１１０は、本体部１１２が骨片２６の側を向き、切欠部１１８が外側の頭蓋骨１０の側を向くように設置される。そして、ねじ孔１１４ｂ、１１４ｃを用いて骨片２６にねじ止めし、ねじ孔１１４ａ、１１４ｄを用いて周囲の頭蓋骨１０にねじ止めしようとしている。しかし、上述のように、バーホール１４は長円形であるのに対し、４つのねじ孔１１４ａ、１１４ｂ、１１４ｃ、１１４ｄは同心円上に配置している。この結果、図７の例では、ねじ孔１１４ａ、ねじ孔１１４ｄは、周囲の頭蓋骨１０の縁に位置してしまい、ねじ固定を確実に行うことが不可能または困難となっている。
【００３９】
このような場合、バーホールプレート１１０に代えて、バーホールプレート１１０と相似形状であるがサイズが大きなものを使用しなければならない。
【００４０】
［その他の実施形態例］
以上に説明したように、本実施形態１、２に示したバーホールプレート３０、８０は、長円形のバーホール１４を固定するのに適した形状となっている。このバーホールプレート３０、８０は、様々に変形可能である。例えば、バーホールの大きさや形状が異なる場合には、適宜、バーホールプレート３０、８０を、相似的に拡大、縮小することや、突出部３２ａ、３２ｂ、８２ａ、８２ｂの長さを変更することで適切に対応することが可能となる。また、ねじ孔の数あるいは位置を変更すること、さらには、切欠部の形状を変更することも可能である。また、一部または全体を、板状では無くメッシュ構造の部材を用いるなどの変更を行うこともできる。
【符号の説明】
【００４１】
１０  頭蓋骨、１２、１４、１６  バーホール、１８、２０、２２  骨切り線、２４  開頭部、２６  骨片、３０、６０、８０、１１０  バーホールプレート、３２ａ、３２ｂ、８２ａ、８２ｂ  突出部、３６  中間部、３７、８４、１１８  切欠部、３８ａ、３８ｂ、３８ｃ、３８ｄ、８８ａ、８８ｂ、８８ｃ、１１３ａ、１１３ｂ、１１３ｃ、１１３ｄ  突起、４０ａ、４０ｂ、４０ｃ、４０ｄ、４６ａ、４６ｂ、９０ａ、９０ｂ、９０ｃ、９６ａ、９６ｂ、１１４ａ、１１４ｂ、１１４ｃ、１１４ｄ  ねじ孔、４２ａ、４２ｂ、４２ｃ、４２ｄ、９２ａ、９２ｂ、９２ｃ  貫通孔、４４ａ、４４ｂ、４４ｃ、９４ａ、９４ｂ、９４ｃ、９４ｄ、１１６ａ、１１６ｂ、１１６ｃ  切り込み、５０、１２０  中心、５２、５４、５６、１２２、１２４、１２６  補助円、１１２  本体部、７０  プレート。
【図１】
0003217266.tif 000003
【図２】
0003217266.tif 000004
【図３】
0003217266.tif 000005
【図４】
0003217266.tif 000006
【図５】
0003217266.tif 000007
【図６】
0003217266.tif 000008
【図７】
0003217266.tif 000009